(57)【要約】【課題】取り扱い情報を記録可能であり、利用機器を適切に使用させる電子タグを提供する。【解決手段】電子タグ１に設けられた情報記憶部１４に書き込まれた取扱情報を、利用機器としての使用禁止情報であるいう構成であり、利用機器に、電子タグ１の情報記憶部１４内に格納されている取扱情報を非接触式に読み取る読み取り手段１３３と、読み取った取扱情報に基づき処理を行う第２情報処理部１１１とを備える構成とすることにより、商品に貼り付けた電子タグ１に設けたＩＣチップ１８から送信される情報を基に、発生した問題に対する対処をスムーズに行うことができる。【選択図】図２
2020113149.tif 000002
【特許請求の範囲】
【請求項１】
利用機器と通信可能な電子タグであって、取扱情報が書き込まれた情報記憶部と、前記情報記憶部内に格納されている前記取扱情報を読み出す制御を行う情報処理部と、前記利用機器との間でデータ通信および電力供給の制御を行うための通信制御部と、電力を一時的に蓄積しておくための電力蓄積部と、前記利用機器の第２アンテナとの間で情報の送受信および電力の供給を受けるためのアンテナと、を備え、前記取扱情報は、前記利用機器の使用禁止情報である電子タグ。
【請求項２】
商品からの着脱が簡易にできる請求項１に記載の電子タグ。
【請求項３】
前記利用機器は洗濯機である請求項１に記載の電子タグ。
【請求項４】
排尿・排便を検出するセンサユニットと、前記センサユニットの出力情報を記憶する情報記憶部と、を備える請求項１に記載の電子タグ。
【請求項５】
前記電子タグは、前記利用機器および／または通信機器を介して、使用者が自由に書き換えることができる、請求項１〜４のいずれか１項に記載の電子タグ。
【請求項６】
請求項１〜５のいずれか１項に記載の電子タグと、前記利用機器とを含む、利用機器システムであって、前記利用機器は、命令および電力を非接触式に供給するとともに前記電子タグの情報記憶部内に格納されている取扱情報を非接触式に読み取る読み取り手段と、読み取った前記取扱情報を自動設定する手段を有する利用機器システム。
【請求項７】
前記利用機器は、受信した取扱情報を表示する手段を有する請求項６に記載の利用機器システム。
【請求項８】
前記利用機器は、他の利用機器との間で前記電子タグ情報を送受信可能であり、前記電子タグ情報を前記他の利用機器に表示する請求項６に記載の利用機器システム。
【発明の詳細な説明】
【技術分野】
【０００１】
本発明は、商品に付けられる電子タグ、および、その利用機器に関する。
【背景技術】
【０００２】
従来、商品に付けられる電子タグとしては、商品管理のためのバーコードタグや、衣料品に付けられる洗濯タグが知られている（例えば、特許文献１参照）。
【０００３】
前者のバーコードタグは、商品名、価格等をバーコードで記録しておき、それを商店のカウンタ等でバーコードリーダにより光学的に読み取って、商品の在庫管理、レシート作成等に利用されるものであり、いちいち手作業で商品名、価格等を入力する場合に比較して入力操作が簡便で間違いが少なくできるので広く普及している。
【０００４】
また、後者の衣料品等に縫いつけられている洗濯タグは、衣料品の素材構成等の商品そのものの特徴の他、アイロンかけの目安、洗濯方法、クリーニング方法等その商品の取扱に関する情報が簡単に記載されている。これらの情報を利用する場合は、洗濯タグを見つけ出し、記載されている情報に基づいて活用するシステムを手動で設定する必要がある。
【先行技術文献】
【特許文献】
【０００５】
【特許文献１】特開平４―９２００号公報
【発明の概要】
【発明が解決しようとする課題】
【０００６】
しかしながら、前記従来の構成におけるバーコードタグは、商品の取扱に関する情報を記録するものではなく、書き換えや書込みが不可能であり、タグ作成後に内容を書き換えたり書込んだりすることができないという課題があった。
【０００７】
また、洗濯タグは、イラスト等による抽象的な表示であるため、詳細な取り扱い情報が分かりづらい。さらに、洗濯やアイロンかけ等を繰り返し行うことにより、印刷された表示が次第に薄れて見えづらくなるという課題があった。
【０００８】
本発明は、前記従来の課題を解決するもので、紙おむつ等の商品に貼り付けた電子タグに設けたＩＣチップから送信される情報を基に、発生した問題に対する対処を行うことができる電子タグおよびその利用機器システムを提供することを目的とする。
【課題を解決するための手段】
【０００９】
電子タグは、利用機器と通信可能な電子タグであって、取扱情報が書き込まれた情報記憶部と、前記情報記憶部内に格納されている前記取扱情報を読み出す制御を行う情報処理部と、前記利用機器との間でデータ通信および電力供給の制御を行うための通信制御部と、電力を一時的に蓄積しておくための電力蓄積部と、利用機器の第２アンテナとの間で情報の送受信および電力の供給を受けるためのアンテナと、を備える。前記取扱情報は、前記利用機器の使用禁止情報であることを特徴とする。
【発明の効果】
【００１０】
本開示における電子タグは、取り扱い情報を記録可能であり、使用者に利用機器を適切に使用させることができる。
【図面の簡単な説明】
【００１１】
【図１】本発明の実施の形態における電子タグおよびその利用機器システムのＩＣチップを取付けた電子タグの構造を示す図
【図２】同電子タグおよびその利用機器システムの回路ブロック図
【図３】同電子タグおよびその利用機器システムに例示した洗濯機の縦断面図
【図４】同電子タグおよびその利用機器システムの情報記憶部の記憶に関する模式図
【図５】（ａ）同電子タグおよびその利用機器システムのセンサユニットの回路構成図、（ｂ）センサユニット出力図、（ｃ）センサユニット出力と判定レベルの相関図
【図６】同電子タグおよびその利用機器システムに例示した洗濯機の動作フローチャート
【発明を実施するための形態】
【００１２】
以下、発明の実施の形態について、図面を参照しながら説明する。なお、この実施の形態によって本発明が限定されるものではない。
【００１３】
（実施の形態１）
本発明は、別個のシステムを利用するような商品に対する電子タグ一般に適用することができるが、以下では、特に、洗濯機、および、洗濯機に対して有効と考えられる紙おむつの電子タグを例示して、説明する。
【００１４】
図１は、本発明の実施の形態における電子タグおよびその利用機器システムのＩＣチップを取付けた電子タグの構造を示す図、図２は、同電子タグおよびその利用機器システムに例示した洗濯機の縦断面図、図３は、同電子タグおよびその利用機器システムに例示した洗濯機の縦断面図、図４は、同電子タグおよびその利用機器システムの情報記憶部の記憶エリア例、図５（ａ）は、同電子タグおよびその利用機器システムのセンサユニットの回路構成図、図５（ｂ）は、センサユニット出力図、図５（ｃ）は、センサユニット出力と判定レベルの相関図、図６は、同電子タグおよびその利用機器システムに例示した洗濯機の動作フローチャートである。
【００１５】
図１において、電子タグ１は、情報処理部１１、通信制御部１２、電力蓄積部１３、情報記憶部１４、アンテナ１５から構成されている。これらを総称してＩＣチップ（カード）とする。
【００１６】
電子タグ１は、水の進入を防ぐために全体を表面材１６で両面から接着されており、表面材１６は、ＰＥＴ（Ｐｏｌｙｅｔｈｙｌｅｎｅ  ｔｅｒｅｐｈｔｈａｌａｔｅ）等の素材でできている。
【００１７】
紙おむつ１０の表面材は、ポリエチレンやポリプロピレンに代表されるポリオレフィンにより構成されており、固定もしくは接着のために接着部１７が設けられている。
【００１８】
また、電子タグ１は、水の進入ばかりではなく、熱・曲げに強く、薄型で、プリント（印刷）が可能なものである。なお、情報処理部１１、通信制御部１２、電力蓄積部１３、情報記憶部１４は一体化されていても構わない。
【００１９】
図２、図３、図４において、紙おむつ１０に取り付けられた電子タグ１は、情報記憶部１４内に、プログラム３１とファイル３２を格納している。情報処理部１１は、外部からの命令（コマンド）に応じて、情報記憶部１４内に格納されているプログラム３１を稼動させ、ファイル３２のデータの読み書きをコントロールしたり、データの加算等の演算を行ったりするためのものである。
【００２０】
通信制御部１２は、外部（洗濯機１００等の利用機器）との間でデータ通信および電力供給を行う時に、その制御を行うためのものである。
【００２１】
電力蓄積部１３は、外部から受けた電力を一時的に蓄積しておき、情報処理部１１が活動するための電力を供給するためのものである。
【００２２】
アンテナ１５は、外部との通信を行う時の電波の送信・受信、および、外部からの電力供給を受けるためのものである。
【００２３】
また、電子タグ１には、排便や排尿といった状態を検知するために、センサユニット１０４０が設けられている。センサユニット１０４０は、ポリピロール，ポリチオフェン等の半導電性を有する有機薄膜を用いており、におい成分の吸着による導電率変化を検出する。電子タグ１は、センサユニット１０４０の情報を記憶する第３情報記憶部１０１４と、センサユニット１０４０のデータを受けて第３情報記憶部１０１４に記憶させる第３情報処理部１０１１と、情報をアンテナ１５に送り、利用機器（洗濯機１００）に送信させる第３通信制御部１０１２を備えている。これにより、検知した排便や排尿に関する情報を発信することができる。
【００２４】
また、電子タグ１の情報記憶部１４には、利用機器に設定すべき使用禁止情報が書き込まれており、紙おむつ１０としては、洗濯機１００に設定すべき取扱情報である洗濯機使用情報４３０が書き込まれており、ほかに、排尿情報４３１、排便情報４３２等が書き込まれている。
【００２５】
なお、情報記憶部１４にある洗濯機使用情報４３０は、使用者があらかじめ、データとして使用禁止情報を書き込むことが可能である。
【００２６】
ＩＣチップ１８内にデータを書き込む方法は、電子タグ１自体が着脱可能な状態であるため、例えば、アンテナ１５を持った非接触式のものを利用して、データとして使用禁止情報を書き込むことが可能である。その後、商品（紙おむつ１０）に取り付けて使用する。また、通信機器である使用者の携帯電話３００を用いて、その情報を書き込むこともできる。
【００２７】
排尿情報４３１は、排尿を検出した場合（例えば、紙おむつ１０を使用している赤ちゃんが排尿した場合）に、センサユニット１０４０で検出された情報を第３情報記憶部１０１４内に“排尿あり”を記憶させることになる。その内容が４３１の排尿の項目となる。
【００２８】
また、排便４３２については、排便を検出した場合（例えば、紙おむつ１０を使用している赤ちゃんが排便した場合）にセンサユニット１０４０で検出された情報を、第３情報記憶部１０１４内に“排便あり”を記憶させることになる。その内容が４３２の排便の項目となる。
【００２９】
利用機器として例示する洗濯機１００は、図３に示すように、筐体２０４内に水槽２０３が揺動自在に弾性支持されており、水槽２０３には衣類を収容するドラム２０２が回転自在に内包されている。ドラム２０２は、モータ２０１の駆動により、回転する。
【００３０】
筐体２０４の前側上部には、運転コースを選択し設定するとともに、その設定内容や各種通知を表示する操作表示部１９１が配設されている。
【００３１】
また、洗濯機１００は、電子タグ１からの信号を受信し、また電子タグ１へ送信するための第２アンテナ１１５と、この第２アンテナ１１５への情報を制御する第２通信制御部
１１２と、この情報を基にして、モータ２０１等の負荷を制御し、洗い、すすぎ、脱水等の行程を制御する第２情報処理部１１１を有しており、情報で洗濯禁止情報があれば、その旨を操作表示部１９１に表示させる。第２アンテナ１１５と第２通信制御部１１２を合わせて、読み取り手段１３３と称する。この時、読み取り手段１３３の設置位置をドラム２０２開口部の下面側に設けた方が対象物となる洗濯物に近くはなるが、障害物で覆われる等のデメリットがある。本実施の形態のように、読み取り手段１３３を上面側に設置すると、洗濯物との距離は離れるが、障害となるものが少ないといったメリットがある。なお、開口部側面に設置することによっても上記デメリットを解消できるが、読取範囲に死角が生まれる可能性がある。この場合、複数の読み取り手段１３３を構成することでカバーできる。
【００３２】
次に、電子タグ１と、利用機器である洗濯機１００の動作について説明する。
【００３３】
使用者は、蓋体２０５を開けて、ドラム２０２内に衣類を投入し、電源を入れて、操作表示部１９１でコースの選択等をして、運転開始を指示入力する。洗濯機１００は、第２情報処理部１１１で行程を制御して、洗濯運転を行う。
【００３４】
ここで、洗濯機１００の電源を入れると、その時点で、第２情報処理部１１１は、読み取り手段１３３の第２通信制御部１１２を経由して、第２アンテナ１１５から商品の電子タグ１にデータの要求を行う。もし、紙おむつ１０が入っていれば、紙おむつ１０に固定されている電子タグ１にデータの要求を行う。
【００３５】
この要求信号を、電子タグ１内のアンテナ１５は、通信制御部１２を経由して情報処理部１１からの信号で、情報記憶部１４の情報を入力する。この情報記憶部１４の記憶エリア内の情報は、例えば、洗濯機使用情報４３０が『×』になっているため（○：使用ＯＫ
×：使用禁止）、この洗濯機使用情報４３０を今までと逆の信号の流れでアンテナ１５を介して、洗濯機の第２アンテナ１１５が受信する。この受信信号を、第２通信制御部１１２を介して、第２情報処理部１１１が入力し、このデータが使用禁止情報であるかどうかを判断する。
【００３６】
もちろん、使用禁止情報であるので、『×』（禁止情報でない場合は、『○』）なので、この使用禁止情報を受けた第２情報処理部１１１は、洗濯物が入っているドラム２０２を回転動作させるモータ２０１の駆動を行うことなく、操作表示部１９１の画面に、使用禁止の洗濯物が入っていることを表示させる。
【００３７】
例えば、Ｕ（Ｕｓｅｒによる対応が必要との意味で、Ｕｓｅｒの頭文字のＵ）で“Ｕ００”を、表示させることを第２情報処理部１１１が操作表示部１９１に指示して表示が行われ、さらに報知手段（図示せず）で注意喚起を促すようにする。また、その注意喚起の報知は、携帯電話３００に送信して表示することができる。
【００３８】
なお、洗濯機使用情報４３０を情報記憶部１４のファイル３２に格納しておくことにより、商品の動作を行う時に活用できる。
【００３９】
ドラム２０２内に、紙おむつ１０が入っていない場合は、その情報を第２通信制御部１１２が受けて、第２情報処理部１１１が入力し、洗濯をスタートしていいという判断になるので、洗濯物の量を検出し、それに応じた洗剤量の表示を行い、洗剤を投入したであろう時間後に、給水を実施し、ドラム２０２の動作を開始、洗濯をスタートする。
【００４０】
元来、紙おむつ１０は、基本的に洗って再利用することはなく、洗濯はしない商品である。よって、洗濯に対する情報はないので、商品の電子タグもない。
【００４１】
しかしながら、場面によっては、紙おむつ１０をズボンと一緒に脱がせて、着せ替えを行ったりしたときや、外出時等にあわてて交換した際、衣服内に潜り込んでしまったりして、洗濯機１００に入れてはいけないとわかっているが、入ってしまうことがある。
【００４２】
紙おむつ１０をそのまま衣類と一緒に洗濯機１００に入れ込んで洗濯が終わった時、その後処理は大変であり、非常に後悔するだけでなく、衣類をきれいに洗濯が完了するまで大変な時間がロスになってしまう作業である。そこで、電子タグ１については、紙おむつを履き替えるごとに取り付けて、まずは、紙おむつ１０に電子タグ１が必ずついている状態にすることが必要である。
【００４３】
その取り付け方は、使用者の邪魔にならないところに、接着で張り付けることでも十分な効果が得られる。なぜなら、実際の紙おむつ１０の装着時間は、２４時間以内で交換することになるためである。
【００４４】
続いて、排便・排尿を検知するセンサユニット１０４０の動作について説明する。
【００４５】
図５（ａ）、（ｂ）、（ｃ）において、乳幼児に紙おむつ１０を装着した場合には、近年は密閉性も良く、胴回り足回りのタイトがかなりしっかりとしているが、実際には、空気は漏れ動いており、表面から臭いを嗅ぐと排尿や排便のにおいがわかる。
【００４６】
そこで、削除に示すように、電子タグ１を紙おむつ１０の表面に取り付け、この電子タグ１内のセンサユニット１０４０にて、紙おむつ１０の表面のにおいを検出することで、排尿や排便を検知することができる。
【００４７】
紙おむつ１０に対する電子タグ１の取り付け位置は、赤ちゃんの動きに対して、大きく邪魔しない場所に取り付けることが望ましい。例えば、背面側に取り付けた場合、着用時に赤ちゃんのおしり側に電子タグ１が位置するため、這い歩きやしゃがむといった動きをする際にも着用の違和感を感じにくい。さらに、近年の紙おむつは伸縮性が高いことで知られているが、背面側の伸縮は比較的少ないので電子タグ１に対する負荷を低減することができる。
【００４８】
図５（ａ）が、センサユニット１０４０の代表的な駆動回路を記載している。定電圧を印加し、センサ出力の変化量で、そのにおいの程度がわかることになる。
【００４９】
図５（ｂ）がセンサユニット１０４０の出力例である。センサユニット１０４０は、空気の流れ等でも、ある程度の出力変動はみられるが、排尿や排便等による臭い変化については、その数百倍程度の変化を示すものである。
【００５０】
紙おむつ１０において、排尿した場合に、紙おむつ１０内の吸水機能によって、ある程度の水分量は保水可能である。その際、排尿には塩分が含まれており、保水している部分の紙おむつ１の抵抗値が微妙な変化を示す。また、排便の場合についても同じように、塩分がはいっているために、排尿同様の変化をする。
【００５１】
それぞれの出力例を示すと、排尿は破線の出力、排便が実線で示している。臭い原因を一定期間で取り除くと、ポイントＡのタイミングから、出力がもとに戻っていく傾向があり、その変化を図５（ｂ）は示している。もし、臭い原因を取り除かなければ、図５（ｃ）の様は出力となる。
【００５２】
ここで、安定した判定を行うようにするためには、瞬間的な変化ではなく、ある程度の
出力継続が行われた時に、排尿、排便の判定をすることが望ましい。ただし、使用者が耐えられる、もしくは、早めの検出を期待していることから考慮すると、３０秒〜１分以内での判断が望ましいと言える。
【００５３】
排尿や排便との判断を行うにあたり、図２の構成において、センサユニット１０４０の出力を動作当初から検出しており、その出力が、第３情報処理部１０１１に送られる。この信号を常時、第３情報処理部１０１１が受けており、この変化量が大きくなった場合（例えば７０％で排尿判定レベル、３０％で排便判定レベル）、排尿・排便の判定を行うことができる。
【００５４】
例えば、図５（ｃ）で、例えば、実線の出力となった場合を考える。
【００５５】
６０秒連続での判定で排尿、排便を判断する。まず、Ｔ１のタイミングで排尿判定レベルを下回る。ここから６０秒以上連続で出力が排尿判定レベルを下回った状態で時間経過すると『排尿』との判断となる。この『排尿』の６０秒経過の判断タイミングが、Ｔ３のタイミングになる。
【００５６】
次に、Ｔ１のタイミング以降もセンサユニット１０４０の出力が低下し、臭いを検出している状態になっており、Ｔ２のタイミングにおいて排便判定レベルを下回ることになる。
その後も低下し、６０秒間連続でレベルを下回る状態になり、Ｔ４のタイミングで『排便』の判定をすることになる。
【００５７】
上記Ｔ３、Ｔ４のタイミングで『排尿』、『排便』のタイミングになった際の各手段の動作を説明する。
【００５８】
まず、センサユニット１０４０は常時出力をおこなっている。その中で、まずはきれいな状態を記憶することになる。例えば、図５の（ｃ）であれば、Ｔ５のタイミングである。
【００５９】
このＴ５の時点の出力に対して、７０％出力が排尿判定レベル、３０％が排便判定レベルとなる。Ｔ１のタイミングにおいて、このタイミング出力を第３情報処理部１０１１が判断し、排尿判定レベルを下回ったことを判断する。その後、連続して出力が排尿判定レベルを下回って、６０秒が経過するとする（Ｔ３のタイミング）。この時点で、第３情報処理部１０１１は『排尿』ということを判定することになる。
【００６０】
そして、その結果を、第３通信制御部１０１２及び、第３情報記憶部１０１４に出力することになる。この信号を受けた第３情報記憶部１０１４は、排尿情報の４３１に排尿情報ありの“１”を書込み記憶することになる。
【００６１】
同時に、第３通信制御部１０１２は、『排尿』情報を、アンテナ１５を介して、使用者に連絡できる機器（ポータブル）の、例えば、携帯電話３００にその情報を発信する。情報を受けた使用者は、赤ちゃんの排尿による、紙おむつ１０の交換を最適なタイミングで実施することが可能となる。
【００６２】
その後の動作については、第３情報処理部１０１１が第３情報記憶部１０１４の排尿情報４３１内のデータを確認し、“１”であれば、同様に『排尿』情報を発信すべく、第３通信制御部１０１２によって、アンテナ１５で発信を行う。
【００６３】
ここで、使用者が携帯電話３００を確認し、紙おむつ１０の交換と、電子タグ１の取り
外し、取り付けを実施すると、携帯電話３００にて完了連絡を発信する。
【００６４】
この完了連絡を、アンテナ１５を経由して、第３通信制御部１０１２が受け、第３情報処理部１０１１にリセット信号として発信を行う。この信号を受けた、第３情報処理部１０１１は、第３情報記憶部１０１４内の排尿情報内をリセットする。そこで、次の動作では、『排尿』情報は発信されないことになる。
【００６５】
さらに、図５の（ｃ）のＴ２のタイミングになったとすると、排便判定レベルについても下回ることになる。この状態を６０秒継続したとすると、第３情報処理部１０１１は第３情報記憶部１０１４に『排便』情報を送り、第３情報記憶部１０１４の排便情報４３２内に“１”を書込む。よって、Ｔ２のタイミング以降は、Ｔ３のタイミングになるまでは、第３情報記憶部１０１４の排尿情報、排便情報は共に“１”になっているわけである。
【００６６】
その後、Ｔ３のタイミングで、排尿情報が携帯電話３００に連絡されることになり、使用者が完了するとそれを受けて、排尿情報は“０”になる。このタイミングで、紙おむつ１０を交換しているので、きれいな出力となる。
【００６７】
だが、Ｔ３のタイミングで、排尿情報が携帯電話３００に送られても、気が付かなかったり、紙おむつ１０を交換したりしなければ、排便判定レベルを下回った状態が継続されるので、Ｔ４のタイミングを迎える。その場合には、第３情報処理部１０１１が第３情報記憶部１０１４の排便情報４３２に“１”のデータをインプットすることになる。同時に、この情報を、排便情報の時と一緒に第３通信制御部１０１２から、アンテナ１５を介して、携帯電話３００に送られ、『排便』情報を使用者が認識できることになる。
【００６８】
この状態は、第３情報記憶部１０１４内の排便情報４３２のデータが消えない（“０”にならない限り）限り、継続されることになる。
【００６９】
また、センサユニット１０４０によって、排尿や排便の状態を紙おむつ１０で検知するには、紙おむつ１０自体に抵抗値検知器（図示せず）１０４０ａと臭い検知器（図示せず）を内蔵して行うこともできる。排尿であれ、排便であれ、直接接触での検知は必要でないので、使用者の肌に直接あたったり接触したりすることはない。
【００７０】
洗濯機１００で衣類を洗濯する場合の上記情報データの流れについて、改めて説明する。
【００７１】
図６において、洗濯機１００の電源が投入されると、ステップＳ１では、第２情報処理部１１１から検査信号を発信し、ドラム２０２内に洗濯使用禁止情報を持った電子タグ１がないかどうかを確認する。
【００７２】
ステップＳ２では、この検査信号を受けた読み取り手段１３３の第２通信制御部１１２から、さらに第２アンテナ１１５を介して、検査信号をドラム２０２内に送信する。このステップＳ１、Ｓ２が洗濯機側の動作になる。
【００７３】
電子タグ１側については、検査信号をアンテナ１５が受信し、通信制御部１２が検査信号を認識する（ステップＳ３）。その情報を、情報処理部１１が検査信号として、情報記憶部１４の記憶内容に対しての検査信号を発信する（ステップＳ４）。
【００７４】
その後、ステップＳ５で、情報記憶部１４は、内部の洗濯機使用情報４３０内の記憶エリアの情報データを、情報処理部１１に返信する。この情報データを受けた通信制御部１２は、アンテナ１５を介して、洗濯機１００側の第２アンテナ１１５に情報発信する（ス
テップＳ６）。
【００７５】
第２アンテナ１１５は、情報データを受信すると、第２通信制御部１１２へデータが入力され（ステップＳ７）、続けて、第２情報処理部１１１により、情報データが判断される（ステップＳ８）。
【００７６】
ここで、ステップＳ９で、受けとった情報データが“１”か“０”かを判断することになる。情報データが、“１”であれば（ステップＳ９のＹ）、洗濯仕様可能ということであり、ステップＳ１０にて、ドラム２０２を回転させるために、モータ２０１を動作可能とする。
【００７７】
ステップＳ９で、情報データが“０”であった場合には（ステップＳ９のＮ）、洗濯使用がＮＧということであるので、モータ２０１の動作は行わない（ステップＳ１１）。
【００７８】
そして、操作表示部１９１に、“Ｕ００”を表示させて、使用禁止の洗濯物が、ドラム２０２内に入っていることを使用者に知らせる。また、携帯電話３００に送信して表示することもできる。この一連の動作を、毎回、洗濯をスタートさせ、水が投入される前に実施する。
【００７９】
以上のように、本実施の形態においては、電子タグ１に設けられた情報記憶部１４に書き込まれた取扱情報を、利用機器としての使用禁止情報であるいう構成とすることにより、商品に貼り付けた電子タグ１に設けたＩＣチップ１８から送信される情報を基に、発生した問題に対する対処をスムーズに行うことができる。
【００８０】
また、利用機器について、電子タグ１に対して命令および電力を非接触式に供給するとともに、電子タグ１の情報記憶部１４内に格納されている取扱情報を非接触式に読み取る読み取り手段と、読み取った取扱情報に基づき処理を行う第２情報処理部とを備える構成とすることにより、商品に貼り付けた電子タグ１に設けたＩＣチップ１８から送信される情報を基に、発生した問題に対する対処をスムーズに行うことができる。
【００８１】
また、電子タグについて、取扱情報を利用機器、または、情報端末としての携帯電話３００に送信するとともに、利用機器は、受信した取扱情報を操作表示部１９１に表示する構成とすることにより、商品に貼り付けた電子タグ１に設けたＩＣチップ１８から送信される情報を基に、発生した問題に対する対処をスムーズに行うことができる。
【００８２】
また、利用機器については、洗濯機１００であり、取扱情報が使用禁止情報であった場合に、洗濯機１００の第２情報処理部１１１は動作を開始しない構成とすることにより、商品に貼り付けた電子タグ１に設けたＩＣチップ１８から送信される情報を基に、発生した問題に対する対処をスムーズに行うことができる。
【００８３】
また、電子タグ１について、排尿・排便を検知するセンサユニット１０４０と、この出力情報を記憶する第３情報記憶部１０１４と、利用機器である洗濯機１００からの命令に応じて、第３情報記憶部１０１４内に格納されている取扱情報を読み出す制御を行う第３情報処理部１０１１と、洗濯機１００との間でデータ通信および電力供給の制御を行うための第３通信制御部１０１２と、洗濯機１００から供給された電力を一時的に蓄積しておくための電力蓄積部１３と、洗濯機１００との間で情報の送受信および電力の供給を受けるためのアンテナ１５とを備える構成とすることにより、洗濯機１００に貼り付けた電子タグ１に設けたＩＣチップ１８から送信される情報を基に、発生した問題に対する対処をスムーズに行うことができる。
【産業上の利用可能性】
【００８４】
以上のように、本発明にかかる電子タグおよびその利用機器システムは、紙おむつ等の商品に貼り付けた電子タグに設けたＩＣチップから送信される情報を基に、発生した問題に対する対処をスムーズに行うことができるので、家庭電化製品を始めとする多くの商品の用途に適用することができる。
【符号の説明】
【００８５】
１  電子タグ
１１  情報処理部
１２  通信制御部
１３  電力蓄積部
１４  情報記憶部
１５  アンテナ
１００  洗濯機
１１１  第２情報処理部
１１２  第２通信制御部
１１５  第２アンテナ
１３３  読み取り手段
１９１  操作表示部
３００  携帯電話（通信機器）
１０１１  第３情報処理部
１０１２  第３通信制御部
１０１４  第３情報記憶部
１０４０  センサユニット
【図１】
2020113149.tif 000003
【図２】
2020113149.tif 000004
【図３】
2020113149.tif 000005
【図４】
2020113149.tif 000006
【図５】
2020113149.tif 000007
【図６】
2020113149.tif 000008